(57)【要約】【課題】溶接面積が拡がると同時にＥＭＩ対策となり、金属筐体３０とプリント基板４０が平らに接合されるコネクタを提供する。【解決手段】コネクタは、プレスフィット端子セット２０を挿入設置する差込槽１１を成形する本体１０と、底辺には差込槽１１へ案内するパッド部２１を設けるプレスフィット端子セット２０と、本体１０外部に覆う金属筐体３０を有する。金属筐体３０底端には少なくとも三組の固定脚３４を設け、固定脚３４の長さはすべて同じ長さで更に固定脚３４上に溶接孔３４１を穿設することを特徴とする。金属筐体３０を溶接する時、固定脚３４の設置によって溶接の標準面となり、固定脚３４とその上の溶接孔３４１によって溶接のための面積が拡がる。【選択図】図４
0003223711.tif 000002
【実用新案登録請求の範囲】
【請求項１】
コネクタであって、
絶縁体であり、プレスフィット端子セットを挿入設置するための差込槽を設ける本体と、
鋭角のＬ型構造で、底辺には前記差込槽へ案内するパッド部を設ける前記プレスフィット端子セットと、
開口を設け、前記開口は内向きに納置空間を形成し、前記納置空間には少なくとも一掛合部を設置し、底端には少なくとも三組の固定脚を設け、前記固定脚の長さはすべて同じ長さで且つ前記固定脚上に溶接孔を穿設する前記本体外部に覆う金属筐体と、を含むことを特徴とするコネクタ。
【請求項２】
前記各固定脚は、前記金属筐体底端の両側に設け、前記複数個の固定脚は少なくとも一方形板状構造の第一固定脚と、少なくとも一円弧形板の第二固定脚を有することを特徴とする請求項１記載のコネクタ。
【請求項３】
前記パッド部の両側は、前記差込槽へ案内する辺縁エリアを設けることを特徴とする請求項１記載のコネクタ。
【請求項４】
前記本体は、少なくとも一組の表示ライトと、少なくとも一組の前記表示ライトに対応する表示ライト端子を設け、各表示ライトと各表示ライト端子は電気連接することを特徴とする請求項１記載のコネクタ。
【請求項５】
前記表示ライトは、未伝導の第一表示ライトと伝導状態を表示する第二表示ライトを有することを特徴とする請求項４記載のコネクタ。
【請求項６】
前記コネクタは前記コネクタに設置するプラグを備えることを特徴とする請求項１から５記載のうちのいずれか一項記載のコネクタ。
【考案の詳細な説明】
【技術分野】
【０００１】
本考案は、コネクタに関するもので、主にプリント基板を連接する金属筐体に同じ高さの固定脚を設け、該固定脚がプリント基板に安定して溶接され、更に該固定脚とその上の溶接孔が溶接時の面積を拡げ、本考案のコネクタとプリント基板が平行を保つことでコネクタの使用の機能が安定し、品質も安定する効果を得る。
【背景技術】
【０００２】
例として、コンピュータのメインボードに設けた電話機のソケット、ホストコンピュータのネットワークソケット、もしくはＩＰルータに設けたソケットは、業者間でＲＪコネクタと呼ばれているが、基本的に金属筐体、本体および端子セットから構成される。該本体内部には差込槽を設置して、そこに端子セットを合わせ、該金属筐体は該本体外縁に設けられ、次に該金属筐体をプリント基板（回路基板）に溶接する。該コネクタはすべての電子装置内の電流と信号伝送の架け橋であり、その品質は電流と信号伝送の信頼性にとって、極めて重要な鍵となるだけでなく、重要な影響を与え、更に電子システムの正常運転に密接に関連する。
【０００３】
図１に示すとおり、公知のコネクタの問題は、金属筐体９１の溶接脚が一対だけで且つ溶接脚の長さが均一でないため、仮にプリント基板９２に溶接する溶接ビード９３が不正確でコネクタ位置が平らでなく、歪みが発生した場合、以下の問題が発生する。
【考案の概要】
【考案が解決しようとする課題】
【０００４】
一に、プラグが差し込みにくく且つ抜きにくい。更にプラグを抜く時に干渉が発生しやすく、コネクタが揺れたり、緩んだりする。
【０００５】
二に、該金属筐体の溶接歪みによって信号伝送効果が悪くなり、場合によってはノイズ干渉（以下ＥＭＩと略称する）が発生し、正常な信号稼働に影響が出る。
【０００６】
いかにして、公知構造の問題を改善し、解決するかを課題とする。
【課題を解決するための手段】
【０００７】
本考案はコネクタを提供し、それは絶縁体であり、プレスフィット端子セットを挿入設置するための差込槽を設ける本体と、鋭角のＬ型構造で底辺には該差込槽へ案内するパッド部を設ける該プレスフィット端子セットと、開口を設け該開口は内向きに納置空間を形成し、該納置空間には少なくとも一掛合部を設置する該本体外部に覆う金属筐体を有する。その特徴は、
【０００８】
該金属筐体底端には少なくとも三組の固定脚を設け、該固定脚の長さはすべて同じ長さで更に該固定脚上に溶接孔を穿設する。
【０００９】
金属筐体は溶接時、該固定脚の設置によって溶接の標準面となり、同時に該固定脚とその上の溶接孔が、溶接のための溶接ビード面積を拡げ、同時にＥＭＩ対策となる。それらによって、該金属筐体とプリント基板の接合が平らになる効果を提供する。
【００１０】
本考案の実施方式において、各固定脚は該金属筐体底端の両側に設け、該複数個の固定脚は少なくとも一方形板状構造の第一固定脚と、少なくとも一円弧形板の第二固定脚を有する。該第一固定脚と該第二固定脚によって溶接するための溶接ビード面積が拡がり、金属筐体とプリント基板の間が平行状態になり、ノイズ干渉を消す效果を得る。
【００１１】
本考案の実施方式において、該パッド部の両側には該差込槽へ案内する辺縁エリアを設け、該辺縁エリアがちょうど該差込槽へ導き、該辺縁エリアがブロック作用を形成し、ポカヨケ組立効果を達成する。
【００１２】
本考案の実施方式において、そのうち該本体は少なくとも一組の表示ライトと少なくとも一組の該表示ライトに対応する表示ライト端子を設け、各表示ライトと各表示ライト端子が電気連接する。ケーブルのプラグを該本体に取り付ける時、該プラグと該プレスフィット端子セットは接触伝導し、更に該表示ライト端子に通電し、該表示ライトを照らす。そのうち該表示ライトは未伝導の第一表示ライトと伝導状態を知らせる第二表示ライトを含む。
【００１３】
本考案の実施方式において、そのうち該コネクタは該コネクタに設置するプラグを備える。
【考案の効果】
【００１４】
本考案の技術手段に基づき、本考案は以下のような利点を有する。
【００１５】
本考案の金属筐体は同じ高さの固定脚を設けることでプリント基板に安定して溶接でき、更に該固定脚とその上の溶接孔が溶接時の面積を拡げ、本考案のコネクタとプリント基板が平行を保つことによってコネクタの使用の機能が安定し、品質も安定する効果を得る。
【００１６】
上述のとおり、該固定脚は溶接面積を拡げる他に、ＥＭＩ対策となり、伝送信号の品質を安定させて干渉を受けさせない。
【図面の簡単な説明】
【００１７】
【図１】公知コネクタとプリント基板溶接の指示図である。
【図２】本考案の構造立体図である。
【図３】本考案の第一実施例構造分解図である。
【図４】図３の別側の構造分解立体図である。
【図５】本考案の構造側面図である。
【図６】図２のＡ−Ａ断面図である。
【図７】図２のＢ−Ｂ断面図である。
【図８】本考案のとプリント基板溶接指示図である。
【図９】本考案の実際使用の指示図である。
【図１０】本考案の第二実施例の構造分解立体図であり、金属筐体上に設置した三組の固定脚を説明したものである。
【考案を実施するための形態】
【実施例】
【００１８】
図２から図１０に示すとおり、本考案のコネクタは主に本体１０、プレスフィット端子セット２０と金属筐体３０を有して構成する。
【００１９】
図２から図４、６、７、９、１０に示すとおり、該本体１０は絶縁体であり、該本体１０にはプレスフィット端子セット２０を挿入設置するための差込槽１１を設け、該差込槽１１上方両側には表示ライト１２をそれぞれ設置する。また該本体１０の底端には該表示ライト１２に対応する少なくとも一組の表示ライト端子１３を設け、更に該表示ライト１２は未伝導の第一表示ライト１２Ａと伝導状態を示す第二表示ライト１２Ｂに分けられる。
【００２０】
図２から図４、６、７、９、１０に示すとおり、該プレスフィット端子セット２０は鋭角のＬ型構造で、該プレスフィット端子セット２０はケーブルを連接するプラグ５０に用い、更に信号を伝導伝送する。該プレスフィット端子セット２０の底辺には該差込槽１１へ案内するパッド部２１を設け、該パッド部２１の両側には辺縁エリア２２を設け、該辺縁エリア２２がちょうど該差込槽１１へ導き、該辺縁エリア２２がブロック作用を形成し、ポカヨケ組立効果を達成する。
【００２１】
図２から図１０に示すとおり、該金属筐体３０は開口３１を設け、該開口３１は内向きに納置空間３２を形成し、該納置空間３２には少なくとも一掛合部３３を設置し、該掛合部３３は該プラグ５０の位置を補正するのに用い、該プラグ５０を該プレスフィット端子セット２０に正しく接合する。図３、４に示すとおり、本考案は、溶接歪みの問題を克服するため、該金属筐体３０の底端に多数個の固定脚３４を凸設置する。合わせて図３、４、５に示すとおり、本考案の良好な実施例として該複数個の固定脚３４は二組の方形板状構造の第一固定脚３４Ａと二組の円弧形板の第二固定脚３４Ｂに分かれ、更に該第一固定脚３４Ａと該第二固定脚３４Ｂの長さＨはすべて同じ長さ、同じ高さの構造とする。図８に示すとおり、本考案をプリント基板４０に置く時、金属筐体３０を直立させて傾斜しないように保ち、該第一固定脚３４Ａと該第二固定脚３４Ｂと各固定脚３４上に穿設した該溶接孔３４１によって溶接する溶接ビード３５面積が拡がり、該金属筐体３０と該プリント基板４０の間が平行状態になり、ノイズ干渉を消す效果を得る。
【００２２】
上述の図３、４、５に提示の四個の固定脚３４構造に加えて、更に図１０に示すのは本考案の別の実施例である。そのうち該金属筐体３０上に三個の固定脚３４を設け、同様に各固定脚３４の長さＨはすべて同じ長さ、同じ高さであるため、溶接時、該金属筐体３０は同様にプリント基板４０上で安定して直立し、同時に溶接面積を拡げてＥＭＩ対策となる。
【００２３】
図９に示すとおり、使用時、プラグ５０を該本体１０に設置する時、該プラグ５０と該プレスフィット端子セット２０は接触伝導し、更に該表示ライト端子１３に伝導し該表示ライト１２の明かりをつけて使用する。本考案の金属筐体３０は同じ高さの固定脚３４で設置するため、プリント基板４０に安定して溶接され、更に該固定脚３４とその上の該溶接孔３４１が溶接時の面積を拡げ、本考案のコネクタとプリント基板４０の平行を保ち、コネクタの使用の機能が安定し、品質も安定する効果を得る。
【００２４】
図８および図９に示すとおり、該固定脚３４は溶接面積を拡げる他に、ＥＭＩ対策となり、伝送信号の品質を安定させて干渉を受けさせない。
【００２５】
上述のとおり、本考案構造は書籍もしくは公開使用において未見のため、実用新案登録申請する。
【００２６】
考案者は以上のとおり、本考案の具体実施に依る運用の技術原理を述べた。仮に本考案の構想に基づく変更が、そこから発する機能において、明細書および図式に含まれる精神を超えない場合、すべて本考案の請求範囲に含まれるものとする。
【符号の説明】
【００２７】
１０        本体
１１        差込槽
１２        表示ライト
１２Ａ      第一表示ライト
１２Ｂ      第二表示ライト
１３        表示ライト端子
２０        プレスフィット端子セット
２１        パッド部
２２        辺縁エリア
３０        金属筐体
３１        開口
３２        納置空間
３３        掛合部
３４        固定脚
３４Ａ      第一固定脚
３４Ｂ      第二固定脚
３４１      溶接孔
３５        溶接ビード
４０        プリント基板
５０        プラグ
９１        金属筐体
９２        プリント基板
９３        溶接ビード
【図１】
0003223711.tif 000003
【図２】
0003223711.tif 000004
【図３】
0003223711.tif 000005
【図４】
0003223711.tif 000006
【図５】
0003223711.tif 000007
【図６】
0003223711.tif 000008
【図７】
0003223711.tif 000009
【図８】
0003223711.tif 000010
【図９】
0003223711.tif 000011
【図１０】
0003223711.tif 000012